(57)【要約】【課題】  所望の画像を表示できる画像表示装置を提供する。【解決手段】  画像表示装置は、光を射出する光源１を含む１つの照明系２と、照明系２から射出された光の偏光方向を揃える第１偏光変換系３と、第１偏光変換系３を介した光を複数の基本色光に分離する色分離系Ｄと、色分離系Ｄに対して複数設けられ、色分離系Ｄで生成された複数の基本色光のそれぞれを画像信号に応じて光変調する空間光変調装置Ｖ１、Ｖ２と、空間光変調装置Ｖ１、Ｖ２に対応して設けられ、空間光変調装置Ｖ１、Ｖ２により変調された基本色光を合成する色合成系１４、２４と、色合成系１４で生成された第１の光をスクリーン１０上に投射する第１投射系１５と、色合成系２４で生成された第２の光をスクリーン１０上に投射する第２投射系２５と、第２投射系２５に入射する第２の光の光路上に設けられ、第２の光の偏光方向を変換させる第２偏光変換系９とを備えている。【選択図】    図１
2006267869.tif 000002
【特許請求の範囲】
【請求項１】
光を射出する光源を含む１つの照明系と、
前記照明系から射出された光の偏光方向を揃える第１偏光変換系と、
前記第１偏光変換系を介した光を複数の基本色光に分離する色分離系と、
前記色分離系に対して複数設けられ、前記色分離系で生成された前記複数の基本色光のそれぞれを画像信号に応じて光変調する空間光変調装置と、
前記空間光変調装置に対応して設けられ、前記空間光変調装置により変調された前記基本色光を合成する色合成系と、
前記色合成系で生成された複数の光のうち、第１の光を投射面上に投射する第１投射系と、
前記色合成系で生成された複数の光のうち、第２の光を投射面上に投射する第２投射系と、
前記第２投射系に入射する前記第２の光の光路上に設けられ、前記第２の光の偏光方向を変換させる第２偏光変換系とを備えた画像表示装置。
【請求項２】
前記第１投射系と該第１投射系に対応する空間光変調装置の光射出面との光学的な距離と、
前記第２投射系と該第２投射系に対応する空間光変調装置の光射出面との光学的な距離とは互いに略等しい請求項１記載の画像表示装置。
【請求項３】
前記第１投射系より投射された前記投射面上での画像と、前記第２投射系より投射された前記投射面上での画像とを位置合わせするアライメント装置を有する請求項１又は２記載の画像表示装置。
【請求項４】
前記アライメント装置は、前記第１投射系及び第２投射系の少なくとも一方を前記投射面に対して略平行な方向に移動する移動装置を含む請求項３記載の画像表示装置。
【請求項５】
前記基本色光は、赤色光、緑色光、及び青色光を含み、
前記第１投射系には第１偏光の赤色光及び青色光と第２偏光の緑色光とが供給され、第２投射系には第２偏光の赤色光及び青色光と第１偏光の緑色光とが供給される請求項１〜４のいずれか一項記載の画像表示装置。
【請求項６】
前記第１、第２投射系のそれぞれから投射され前記投射面を介した光のうち第１偏光のみを透過する一方の目用透過部と、第２偏光のみを透過する他方の目用透過部とを有する眼鏡を有する請求項１〜５のいずれか一項記載の画像表示装置。
【請求項７】
前記空間光変調装置は液晶装置を含む請求項１〜６のいずれか一項記載の画像表示装置。
【発明の詳細な説明】
【技術分野】
【０００１】
本発明は画像表示装置に関するものである。
【背景技術】
【０００２】
液晶装置等の空間光変調装置で生成された画像情報を含む色光を投射系を介してスクリーン上に投射する画像表示装置（プロジェクタ）の一例として、スクリーンの背面側から色光を投射する背面投射型画像表示装置（リアプロジェクタ）が知られている。また、偏光方向が互いに異なる色光をスクリーン上に投射し、投射した画像を鑑賞者に立体像として認識させる立体画像表示装置が知られている（特許文献１参照）。
【特許文献１】特開２００３−１８５９６９号公報
【発明の開示】
【発明が解決しようとする課題】
【０００３】
従来の技術は、一方の目用画像を形成するためのプロジェクタと他方の目用画像を形成するためのプロジェクタとをそれぞれ個別に設けている。すなわち、２つのプロジェクタのそれぞれが光源を独立して有している構成である。この場合、各プロジェクタの光源から射出される光量にばらつきが生じると、一方の目用画像と他方の目用画像との間に差異が生じたり色ずれが生じる等の不都合が生じ、所望の画像を表示できない可能性がある。
【０００４】
本発明は上記事情に鑑みてなされたもので、所望の画像を表示できる画像表示装置を提供することを目的とする。
【課題を解決するための手段】
【０００５】
上記の課題を解決するため、本発明は、光を射出する光源を含む１つの照明系と、前記照明系から射出された光の偏光方向を揃える第１偏光変換系と、前記第１偏光変換系を介した光を複数の基本色光に分離する色分離系と、前記色分離系に対して複数設けられ、前記色分離系で生成された前記複数の基本色光のそれぞれを画像信号に応じて光変調する空間光変調装置と、前記空間光変調装置に対応して設けられ、前記空間光変調装置により変調された前記基本色光を合成する色合成系と、前記色合成系で生成された複数の光のうち、第１の光を投射面上に投射する第１投射系と、前記色合成系で生成された複数の光のうち、第２の光を投射面上に投射する第２投射系と、前記第２投射系に入射する前記第２の光の光路上に設けられ、前記第２の光の偏光方向を変換させる第２偏光変換系とを備えた画像表示装置を提供する。
【０００６】
本発明によれば、光源を含む１つの照明系より光を射出し、その照明系から射出された光の偏光方向を第１偏光変換系で揃え、第１偏光変換系を介した光を色分離系で複数の基本色光に分離し、それら基本色光を複数の空間光変調装置のそれぞれ、及び色合成系を通過させて、所定の偏光方向を有する第１の光及び第２の光のそれぞれに基づく複数の画像を生成し、第１の光を第１投射系を介して投射面上に投射し、第２の光を第２偏光変換系及び第２投射系を介して投射面上に投射するようにしたので、光源を含む照明系が複数あることに起因する不都合を防止しつつ、偏光方向が互いに異なる複数の光のそれぞれを投射面上に投射することができる。
【０００７】
前記第１投射系と該第１投射系に対応する空間光変調装置の光射出面との光学的な距離と、前記第２投射系と該第２投射系に対応する空間光変調装置の光射出面との光学的な距離とは互いに略等しい構成を採用することができる。これにより、投射面に投射される偏光方向が互いに異なる複数の光のそれぞれの状態をほぼ等価にすることができる。
【０００８】
前記第１投射系より投射された前記投射面上での画像と、前記第２投射系より投射された前記投射面上での画像とを位置合わせするアライメント装置を有する構成を採用することができる。これにより、投射面上において所望の画像を形成することができる。
【０００９】
前記アライメント装置は、前記第１投射系及び第２投射系の少なくとも一方を前記投射面に対して略平行な方向に移動する移動装置を含む構成を採用することができる。これにより、第１投射系より投射された投射面上での画像と、第２投射系より投射された投射面上での画像とを位置合わせすることができる。
【００１０】
前記基本色光は、赤色光、緑色光、及び青色光を含み、前記第１投射系には第１偏光の赤色光及び青色光と第２偏光の緑色光とが供給され、第２投射系には第２偏光の赤色光及び青色光と第１偏光の緑色光とが供給される構成を採用することができる。これにより、所望のフルカラー画像を形成することができる。
【００１１】
前記第１、第２投射系のそれぞれから投射され前記投射面を介した光のうち第１偏光のみを透過する一方の目用透過部と、第２偏光のみを透過する他方の目用透過部とを有する眼鏡を有する構成を採用することができる。これにより、眼鏡をかけた鑑賞者に立体像を認識させることができる。
【００１２】
前記空間光変調装置は液晶装置を含む構成を採用することができる。これにより、画像信号に応じた所望の画像を投射することができる。
【発明を実施するための最良の形態】
【００１３】
以下、本発明の実施形態について図面を参照しながら説明する。なお、以下の説明においては、ＸＹＺ直交座標系を設定し、このＸＹＺ直交座標系を参照しつつ各部材の位置関係について説明する。そして、水平面内における所定方向をＸ軸方向、水平面内においてＸ軸方向と直交する方向をＹ軸方向、Ｘ軸方向及びＹ軸方向のそれぞれに直交する方向（すなわち鉛直方向）をＺ軸方向とする。更には、Ｘ軸、Ｙ軸、及びＺ軸まわりの回転方向をそれぞれ、θＸ、θＹ、及びθＺ方向とする。
【００１４】
図１は、本実施形態に係る画像表示装置の概略構成を示す斜視図である。また、図２は、図１の一部を抽出した側面図、図３は、図１の一部を抽出した平面図である。
【００１５】
これらの図において、画像表示装置ＰＪは、スクリーン（投射面）１０と、スクリーン１０上に画像を投射する投射ユニットＵとを備えている。投射ユニットＵからスクリーン１０に対して光が投射されることにより、スクリーン１０上に画像が形成される。本実施形態の画像表示装置ＰＪは、スクリーン１０の背面側からスクリーン１０上に画像を投射する背面投射型画像表示装置、所謂リアプロジェクタである。以下の説明において、画像表示装置を適宜、「プロジェクタ」と称する。
【００１６】
投射ユニットＵは、光を射出する１つの光源１と、１つの照明系（照明光学系）２と、照明系２（光源１）から射出された光の偏光方向を揃える第１偏光変換系３と、第１偏光変換系３を介した光を複数の基本色光に分離する色分離系Ｄと、色分離系Ｄに対して複数設けられ、色分離系Ｄで生成された複数の基本色光のそれぞれを画像信号に応じて光変調する空間光変調装置Ｖ１、Ｖ２と、空間光変調装置Ｖ１、Ｖ２に対応して設けられ、空間光変調装置Ｖ１、Ｖ２により変調された基本色光を合成する色合成系１４、２４と、色合成系１４で生成された光をスクリーン１０上に投射する第１投射系（投射光学系）１５と、色合成系２４で生成された光をスクリーン１０上に投射する第２投射系（投射光学系）２５と、第２投射系２５に入射する光の光路上に設けられ、その光の偏光方向を変換させる第２偏光変換系９とを備えている。
【００１７】
本実施形態においては、投射ユニットＵは、第１空間光変調装置Ｖ１及び第２空間光変調装置Ｖ２の２つの空間光変調装置を有している。なお、本実施形態の投射ユニットＵは、第１色合成系１４及び第２色合成系２４の２つの色合成系を有しているが、図中、Ｚ方向に長い色合成系（ダイクロイックプリズム）を用いる場合には、色合成系は１つであってもよい。すなわち、色合成系は、２つの空間光変調装置Ｖ１、Ｖ２に対応するように、実質的に２つ設けられていればよい。
【００１８】
光源１は、例えば超高圧水銀ランプ、メタルハライドランプ、キセノンランプなどによって構成可能であり、白色光（Ｗ）を射出する。光源１は１つである。照明系２は、インテグレータ系、第１プリズムレンズ、第２プリズムレンズ、コリメータレンズ、集光レンズ、シリンドリカルレンズ等を含んで構成されている。
【００１９】
第１偏光変換系３は、偏光ビームスプリッタ（以下、適宜「ＰＢＳアレイ」と称する）を備えている。ＰＢＳアレイは、偏光分離膜と位相差板（１／２λ板）とを備えている。本実施形態のＰＢＳアレイの各偏光分離膜は、照明系２からの光（白色光）のうち例えばＰ偏光を通過させ、Ｓ偏光を９０°光路変更する。光路変更されたＳ偏光は隣接の反射部材で反射してそのまま射出される。一方、偏光分離膜を透過したＰ偏光はそのまま光射出側に設けられている位相差板によってＳ偏光に変換されて射出される。すなわち本実施形態においては、第１偏光変換系３に入射した光のほぼ全てがＳ偏光に変換されるようになっている。このように、本実施形態の第１偏光変換系３は、照明系２（光源１）から射出された光の偏光方向をＳ偏光に揃える。
【００２０】
第１偏光変換系３を通過したＳ偏光の白色光（Ｗ）は、色分離系Ｄによって、複数の基本色光に分離される。色分離系Ｄは、第１ダイクロイックミラー４と、第２ダイクロイックミラー５とを備えている。また、色分離系Ｄに対して２つ（複数）設けられた空間光変調装置Ｖ１、Ｖ２のうち、第１空間光変調装置Ｖ１は、赤色光用ライトバルブ１１と、緑色光用ライトバルブ１２と、青色光用ライトバルブ１３とを備えている。第２空間光変調装置Ｖ２は、赤色光用ライトバルブ２１と、緑色光用ライトバルブ２２と、青色光用ライトバルブ２３とを備えている。
【００２１】
ここで、２つの空間光変調装置Ｖ１、Ｖ２のそれぞれに対応するように、第１偏光変換系３（照明系２）からは、第１ダイクロイックミラー４に対して、互いに異なる光束を有する２つの光が供給されるようになっている。本実施形態においては、２つの空間光変調装置Ｖ１、Ｖ２のそれぞれに同時に光を供給可能なように、光源１、照明系２、第１偏光変換系３、色合成系（ダイクロイックミラー）、及び反射ミラー等の各種光学部材の大きさや構造が最適に設定されている。
【００２２】
第１ダイクロイックミラー４は、赤色波長帯域の光（以下、赤色光（Ｒ）と称する）を透過し、その他の波長帯域の光を反射する。第１ダイクロイックミラー４を透過した赤色光（Ｒ）は、反射ミラー８で反射して、赤色光用ライトバルブ１１、２１のそれぞれに導かれる。一方、第１ダイクロイックミラー４で反射した光は、第２ダイクロイックミラー５に導かれる。
【００２３】
第２ダイクロイックミラー５は、青色波長帯域の光（以下、青色光（Ｂ）と称する）を透過し、緑色波長帯域の光（以下、緑色光（Ｇ）と称する）を反射する。第２ダイクロイックミラー５で反射した緑色光（Ｇ）は緑色光用ライトバルブ１２、２２のそれぞれに導かれる。また、第２ダイクロイックミラー５を透過した青色光（Ｂ）は、リレーレンズ４１、反射ミラー６、リレーレンズ４２、反射ミラー７、及びリレーレンズ４３を介して青色光用ライトバルブ１３、２３のそれぞれに導かれる。
【００２４】
第１空間光変調装置Ｖ１の各ライトバルブ１１、１２、１３は、液晶装置によって構成されている。ライトバルブは、入射側偏光板と、一対のガラス基板どうしの間に封入された液晶を有するパネル部と、射出側偏光板とを備えている。ガラス基板には画素電極や配向膜が設けられている。ライトバルブは、定められた振動方向の光のみを透過させるようになっており、ライトバルブに入射した各基本色光（赤色光、緑色光、及び青色光）は、ライトバルブを通過することによって光変調される。
【００２５】
各ライトバルブ１１、１２、１３を通過することで変調された各基本色光（変調光）は、第１色合成系１４で合成される。第１色合成系１４はダイクロイックプリズムによって構成されており、Ｓ偏光の赤色光（Ｒ）、緑色光（Ｇ）、及び青色光（Ｂ）は第１色合成系１４で合成されてフルカラー合成光となる。第１色合成系１４から射出される光はＳ偏光のフルカラー合成光である。第１色合成系１４から射出されたＳ偏光のフルカラー合成光は第１投射系１５に導かれる。したがって、第１投射系１５にはＳ偏光の赤色光（Ｒ）、緑色光（Ｇ）、及び青色光（Ｂ）が供給される。
【００２６】
第２空間光変調装置Ｖ２の各ライトバルブ２１、２２、２３は、液晶装置によって構成されている。ライトバルブに入射した各基本色光（赤色光、緑色光、及び青色光）は、ライトバルブを通過することによって光変調される。
【００２７】
各ライトバルブ２１、２２、２３を通過することで変調された各基本色光（変調光）は、第２色合成系２４で合成される。第２色合成系２４はダイクロイックプリズムによって構成されており、Ｓ偏光の赤色光（Ｒ）、緑色光（Ｇ）、及び青色光（Ｂ）は第２色合成系２４で合成されてフルカラー合成光となる。第２色合成系２４から射出される光はＳ偏光のフルカラー合成光である。
【００２８】
第２色合成系２４の光射出部には、光の偏光方向を変換させる第２偏光変換系９が設けられている。第２偏光変換系９によって、第２色合成系２４から射出されたＳ偏光のフルカラー合成光は、Ｐ偏光のフルカラー合成光に変換される。第２色合成系２４から射出され、第２偏光変換系９を通過したＰ偏光のフルカラー合成光は、第２投射系２５に導かれる。したがって、第２投射系２５にはＰ偏光の赤色光（Ｒ）、緑色光（Ｇ）、及び青色光（Ｂ）が供給される。
【００２９】
そして、第１投射系１５からはＳ偏光のフルカラー合成光がスクリーン１０上に投射され、第２投射系２５からはＰ偏光のフルカラー合成光がスクリーン１０上に投射される。第１、第２投射系１５、２５のそれぞれは、入射側の画像を拡大してスクリーン１０上に投射する所謂拡大系である。第１、第２投射系１５、２５のそれぞれから投射された光に基づく画像をスクリーン１０上で合成することによって、投射ユニットＵは、スクリーン１０上にフルカラーの合成画像を形成することができる。鑑賞者は、投射ユニットＵによりスクリーン１０の背面側からスクリーン１０に対して投射された画像（合成画像）を正面側から鑑賞する。
【００３０】
本実施形態においては、第１投射系１５とその第１投射系１５に対応する複数のライトバルブ１１、１２、１３の各光射出面との光学的な距離と、第２投射系２５とその第２投射系２５に対応する複数のライトバルブ２１、２２、２３の各光射出面との光学的な距離とは互いに等しくなっている。これにより、スクリーン１０に投射される偏光方向が互いに異なる２つの光のそれぞれの状態をほぼ等価にすることができ、スクリーン１０上に所望の画像を形成することができる。
【００３１】
また、本実施形態のプロジェクタＰＪは、立体画像表示装置として使用可能である。すなわち、スクリーン１０上に投射した画像を立体像として鑑賞者に認識させるために、プロジェクタＰＪは、一方の目用画像（例えば左目用画像）として、Ｓ偏光のフルカラー合成光をスクリーン１０上に投射し、他方の目用画像（例えば右目用画像）として、Ｐ偏光のフルカラー合成光をスクリーン１０上に投射している。
【００３２】
鑑賞者は、図１に示すような、左目側にＳ偏光透過フィルム３１を有し、右目側にＰ偏光透過フィルム３２を有した眼鏡３０を装着することにより、立体像を認識することができる。ここで、眼鏡３０の左目側のＳ偏光透過フィルム３１は、スクリーン１０を介したＳ偏光のみを透過する左目用透過部として機能し、眼鏡３０の右目側のＰ偏光透過フィルム３２は、スクリーン１０を介したＰ偏光のみを透過する右目用透過部として機能している。
【００３３】
以上説明したように、１つの光源１から光を射出し、その光源１から射出された光の偏光方向を第１偏光変換系３で揃え、第１偏光変換系３を介した光を色分離系Ｄで複数の基本色光に分離し、この基本色光（赤色光、緑色光、及び青色光）を２つの空間光変調装置Ｖ１、Ｖ２、及び色合成系１４、２４のそれぞれを通過させて、Ｓ偏光に基づく２つの画像を生成し、第１空間光変調装置Ｖ１からの光を第１投射系１５を介してスクリーン１０上に投射するとともに、第２空間光変調装置Ｖ２からの光を第２偏光変換系９及び第２投射系２５を介してスクリーン１０上に投射するようにしたので、光源１が複数あることに起因する不都合を防止しつつ、偏光方向が互いに異なる２つの光のそれぞれをスクリーン１０上に投射することができる。すなわち、光源が２つ（複数）ある場合には、例えば２つの光源のそれぞれから射出される光の光量に違いがあったり、２つの光源のうちどちらか一方の経時的な劣化が大きい状況が生じると、一方の目用画像と他方の目用画像との間に差異が生じたり色ずれが生じる等の不都合が生じ、所望の画像を表示できない可能性がある。ところが、本実施形態では、光源１及び照明系２を１つにしたので、そのような不都合を防止することができる。また、光源１及び照明系２が１つなので、スクリーン１０上での照度むらや色むらを抑えることができる。また、光源１を交換する作業も容易に行うことができる。
【００３４】
また、分離系Ｄも１つなので、各空間光変調装置Ｖ１、Ｖ２のそれぞれに対応するように分離系を複数設ける構成に比較して、装置構成や設置作業を簡単化することができる。
【００３５】
また本実施形態においては、色分離系Ｄは１つであり、第１空間光変調装置Ｖ１と第２空間光変調装置Ｖ２とはほぼ同等の構成を有し、第１色合成系１４と第２色合成系２４とはほぼ同等の構成を有している。したがって、互いに異なる構成を有する色分離系、空間光変調装置、及び色合成系を用意しなくても、同種の空間光変調装置及び色合成系を複数用意し、これらを組み合わせてユニットを形成し、その形成されたユニットを２つ組み合わせ、色分離系の光入射部側に第１偏光変換系３を配置するとともに、色分離系Ｄを配置し、２つの空間光変調装置のうち一方の空間光変調装置に対応する色合成系の光射出部側の光路上に第２偏光変換系９を配置するといった簡単な構成で、本実施形態の投射ユニットＵを製造することができる。
【００３６】
なお上述のように、色分離系Ｄは１つであり、第１空間光変調装置Ｖ１と第２空間光変調装置Ｖ２とはほぼ同等の構成を有し、第１色合成系１４と第２色合成系２４とはほぼ同等の構成を有しており、第１色合成系１４からは、第１投射系１５に対して、Ｓ偏光の赤色光（Ｒ）、緑色光（Ｇ）、及び青色光（Ｂ）が供給され、第２色合成系２４からは、第２投射系２５に対して、第２偏光変換系９を介して、Ｐ偏光の赤色光（Ｒ）、緑色光（Ｇ）、及び青色光（Ｂ）が供給されているが、例えば、第１投射系１５にはＳ偏光の赤色光（Ｒ）及び青色光（Ｂ）とＰ偏光の緑色光（Ｇ）とが供給され、第２投射系２５にはＰ偏光の赤色光（Ｒ）及び青色光（Ｂ）とＳ偏光の緑色光（Ｇ）とが供給されるようにしてもよい。例えば、特開２００３−１８５９６９号公報に開示されているような映像信号供給手段を使って、色合成系に入射する緑色光（Ｇ）の偏光方向を赤色光（Ｒ）及び青色光（Ｂ）と異ならせることによって、上述の構成を実現できる。
【００３７】
なお、上述の実施形態においては、第２偏光変換系９は、第２色合成系２４と第２投射系２５との間に設けられているが、所望の偏光方向に調整可能であれば、第２投射系２５に入射する光の光路上の任意の位置に設けることができる。
【００３８】
ところで、本実施形態においては、投射ユニットＵは２つの投射系１５、２５を有しており、第１投射系１５より投射されたスクリーン１０上での画像と、第２投射系２５より投射されたスクリーン１０上での画像とがずれる可能性がある。そこで、投射ユニットＵに、第１投射系１５より投射されたスクリーン１０上での画像と、第２投射系２５より投射されたスクリーン１０上での画像とを位置合わせするためのアライメント装置を設けることができる。
【００３９】
図４はアライメント装置の一例を示す図である。図４において、アライメント装置４０は、第１投射系１５及び第２投射系１５の少なくとも一方をスクリーン１０のスクリーン面に対して略平行な方向に移動する移動装置４１を備えている。アライメント装置４０は、例えば第１投射系１５をスクリーン１０のスクリーン面に対して略平行な方向に移動することにより、第２投射系２５によってスクリーン１０上に形成されている画像に対して、第１投射系１５から投射した画像を位置合わせすることができる。また、第１投射系１５及び第２投射系２５のそれぞれから投射された画像をスクリーン１０上で位置合わせするために、第２投射系２５を動かしてもよいし、第１、第２投射系１５、２５の両方を動かしてもよい。あるいは、ライトバルブを動かすことによっても、第１投射系１５及び第２投射系２５のそれぞれから投射された画像をスクリーン１０上で位置合わせすることができる。
【００４０】
なお上述の実施形態においては、スクリーン１０の背面側からスクリーン１０に対して画像を投射する背面投射型画像表示装置（リアプロジェクタ）に関して本発明の画像表示装置を適用する場合を例にして説明したが、スクリーンの正面側からスクリーンに対して画像を投射する画像表示装置に適用してもよい。
【００４１】
上述の実施形態においては、１つの基本色光について互いに直交関係にある偏光方向を有する光をスクリーン１０上に投射することによって立体像を形成しているが、偏光方向としては、直線偏光であるＳ偏光及びＰ偏光に限られず、円偏光である右円偏光及び左円偏光であってもよい。
【００４２】
また上述の実施形態においては、本発明の画像表示装置を立体画像表示装置に適用した場合を例にして説明したが、二次元画像を表示する装置であってもよい。この場合、スクリーン１０上には、互いに直交関係にある偏光方向を有する光を必ずしも投射しなくてもよい。すなわち、各投射ユニットから、同じ偏光方向を有する光を投射するようにしてもよい。
【００４３】
なお上述の実施形態においては、空間光変調装置として液晶装置（ライトバルブ）を用いているが、例えばＤＭＤ（Digital Micromirror Device）等の反射型光変調装置（ミラー変調器）を用いてもよい。
【図面の簡単な説明】
【００４４】
【図１】本実施形態に係る画像表示装置の概略構成を示す斜視図である。
【図２】図１の一部を抽出した側面図である。
【図３】図１の一部を抽出した平面図である。
【図４】アライメント装置を説明するための模式図である。
【符号の説明】
【００４５】
１…光源、２…照明系、３…第１偏光変換系、９…第２偏光変換系、１０…スクリーン（投射面）、１４…第１色合成系、１５…第１投射系、２４…第２色合成系、２５…第２投射系、３０…メガネ、３１…Ｓ偏光透過フィルム（一方の目用透過部）、３２…Ｐ偏光透過フィルム（他方の目用透過部）、４０…アライメント装置、４１…移動装置、Ｄ…色分離系、ＰＪ…プロジェクタ（画像表示装置）、Ｕ…投射ユニット、Ｖ１、Ｖ２…空間光変調装置
【図１】
2006267869.tif 000003
【図２】
2006267869.tif 000004
【図３】
2006267869.tif 000005
【図４】
2006267869.tif 000006